(57)【要約】【課題】不要輻射を低減できるカメラ付端末装置を提供する。【解決手段】カメラ収納ケース４０をシールド効果のあるもので構成し、その軸部４１を印刷配線板１３、２４のアース端子に電気的に接続された軸受具３１、３２の軸受３１ａ、３１ｂ、３２ａ、３２ｂに回動可能に枢着し、カメラ収納ケース４０を軸部４１、軸受３１ａ、３１ｂ、３２ａ、３２ｂを介して印刷配線板１３、２４のアース端子に電気的に接続しアースする。【選択図】　図２
2004015095.tif 000002
【特許請求の範囲】
【請求項１】
カメラ収納ケースをシールド性のある材料で形成したことを特徴とするカメラ付き端末装置。
【請求項２】
前記カメラ収納ケースに軸部を設け、
この軸部を印刷配線板のアース端子に電気的に接続された軸受に回動自在に枢着し、
前記カメラ収納ケースを前記軸部を介して前記印刷配線板にアース端子に電気的に接続するように構成したことを特徴とする請求項１に記載のカメラ付き端末装置。
【請求項３】
前記カメラ収納ケースは金属製であることを特徴とする請求項１又は２に記載のカメラ付き端末装置。
【請求項４】
前記カメラ収納ケースは樹脂製であって、表面が導電性を有することを特徴とする請求項１又は２に記載のカメラ付き端末装置。
【請求項５】
前記カメラ収納ケースの軸部にパッキンを介してホルダーを挿入若しくは嵌合し、
前記ホルダーを前記軸受に回動自在に挿入若しくは嵌入し、
前記軸受を貫通して突出した前記軸部の先端部にワッシャを介してリングを嵌合し、
前記カメラ収納ケースを前記軸部、前記リング、前記ワッシャ、前記軸受を介して前記印刷配線板のアース端子に電気的に接続するように構成したことを特徴とする請求項２に記載のカメラ付き端末装置。
【請求項６】
第１、第２の筐体が回動自在に枢着され、
前記第１、第２の筐体にそれぞれ印刷配線板が収納され、
それらの印刷配線板にそれぞれ電気的に接続されたそれぞれの軸受に前記カメラ収納ケースの軸部を回動自在に挿入し、
前記軸部を貫通して突出した前記軸部の先端部にワッシャを介してリングを嵌合し、
前記カメラ収納ケースを前記軸部、前記リング部、前記ワッシャ、前記軸受を介して前記第１、第２の筐体にそれぞれ収納された印刷配線板のアース端子にそれぞれ電気的に接続するように構成したことを特徴とする請求項２に記載のカメラ付き端末装置。
【発明の詳細な説明】
【０００１】
【発明の属する技術分野】
この発明は、カメラを備えた携帯電話機、ＰＨＳ、携帯端末機などのカメラ付き端末装置に関するものである。
【０００２】
【従来の技術】
近年、携帯電話機、携帯端末機などにおいて、カメラを備えたものが開発され市場に出回るようになってきた。カメラを備えたこの種の携帯端末装置は、カメラで撮影した映像をそのまま通信相手に送信することができ、その撮影した映像を受信した通信相手は、それをそのまま表示したり、記憶・保存したりすることができて非常に便利である。
【０００３】
【発明が解決しようとする課題】
しかしながら、現在使用されているこの種のカメラ付き携帯端末装置は、一般に、カメラを収納するカメラケースが、携帯端末装置の筐体と同様、樹脂で形成されている。従って、このカメラケースではシールド効果が得られないので、カメラ駆動時にカメラ部分から比較的大きな不要輻射が生じており、各種の不都合を各部にもたらす、といった問題があった。
【０００４】
そこで、この発明は、上記した従来の問題を解決するものであり、不要輻射を極力抑えた、換言すれば信頼の高い優れたカメラ付き端末装置を提供することを目的とするものである。
【０００５】
【課題を解決するための手段】
この発明のカメラ付き端末装置は、カメラ収納ケースをシールド効果のある材料で形成したことを特徴としている。
【０００６】
この構成により、カメラ収納ケースに収納されたカメラがカメラ収納ケースによってシールドされることになり、カメラを駆動するための各種信号による不要輻射を極力少なくすることができる。
【０００７】
また、この発明のカメラ付き端末装置は、前記カメラ収納ケースに軸部を設け、
この軸部を印刷配線板のアース端子に電気的に接続された軸受に回動自在に枢着し、
前記カメラ収納ケースを前記軸部を介して前記印刷配線板にアース端子に電気的に接続するように構成したことを特徴としている。
【０００８】
これにより、カメラ収納ケースを印刷配線板のアース端子に容易に接続して、カメラをカメラ収納ケースで容易にシールドすることができるので、カメラを駆動するための各種信号による不要輻射を極力少なくすることができる。
【０００９】
また、この発明のカメラ付き端末装置は、前記カメラ収納ケースが金属製でもよい。
これにより、カメラ収納ケースに対して、シールド性を容易に付与することができる。
【００１０】
この発明のカメラ付き端末装置は、前記カメラ収納ケースが樹脂製であって、表面が導電性を有するものでもよい。
【００１１】
これにより、カメラ収納ケースにシールド効果を持たせ、しかもカメラ収納ケースを安価に提供することができる。
【００１２】
また、この発明のカメラ付き端末装置は、前記カメラ収納ケースの軸部にパッキンを介してホルダーを挿入若しくは嵌合し、
前記ホルダーを前記軸受に回動自在に挿入若しくは嵌入し、
前記軸受を貫通して突出した前記軸部の先端部にワッシャを介してリングを嵌合し、
前記カメラ収納ケースを前記軸部、前記リング、前記ワッシャ、前記軸受を介して前記印刷配線板のアース端子に電気的に接続するように構成したことを特徴としている。
【００１３】
これにより、カメラ収納ケースが軸部を中心に適度な摩擦力を持ってスムースに回動するようになり、かつ、軸部、リング、ワッシャ、軸受を介して正確に印刷配線板のアース端子に電気的に接続され、シールド効果を発揮することができる。
【００１４】
また、この発明のカメラ付き端末装置は、第１、第２の筐体が回動自在に枢着され、
前記第１、第２の筐体にそれぞれ印刷配線板が収納され、
それらの印刷配線板にそれぞれ電気的に接続されたそれぞれの軸受に前記カメラ収納ケースの軸部を回動自在に挿入し、
前記軸部を貫通して突出した前記軸部の先端部にワッシャを介してリングを嵌合し、
前記カメラ収納ケースを前記軸部、前記リング部、前記ワッシャ、前記軸受を介して前記第１、第２の筐体にそれぞれ収納された印刷配線板のアース端子にそれぞれ電気的に接続するように構成してもよい。
【００１５】
これにより、カメラ収納ケースが軸部、リング、ワッシャ、軸受を介してそれぞれ第１、第２の筐体内に設けたそれぞれの印刷配線板に電気的に接続され、より効果的にシールド効果を発揮するようになり、カメラを駆動するための各種信号による不要輻射をより少なくすることができる。
【００１６】
【発明の実施の形態】
以下、この発明に係る実施の形態について、添付図面を参照しながら詳細に説明する。
［第１の実施の形態］
図１は、この発明の第１の実施の形態に係るカメラ付き端末装置の平面図、図２は同カメラ付き端末装置の要部分解斜視図、図３は同カメラ付き端末装置に使用するカメラ部分の分解斜視図、図４は同カメラ付き端末装置の要部を組み立てた状態を示す断面図である。
【００１７】
図１は、本発明の第１の実施の形態に係るカメラ付き端末装置が適用された折畳式の携帯電話機を示すものであり、この折畳式の携帯電話機は、第１の筐体１及び第２の筐体２を有しており、これら第１、第２の筐体１、２は、それぞれヒンジ部を構成する軸受部３によって互いに回動自在に枢着（連結）されている。
【００１８】
そして、第１の筐体１には、表示器１１及び受話器１２が装着されているとともに、第２の筐体２には、テンキー２１や各種機能キー２２、更には、送話器２３が装着されている。
【００１９】
図２に示す軸受部３は、後に詳述するように、第１の筐体１及び第２の筐体１２にそれぞれ結合された軸受具３１及び軸受具３２と、これらの軸受具３１、軸受具３２を互いに回動自在に枢着する枢軸３３とで構成されるが、第１、第２の筐体１、２には、図１に示すように、これらの軸受具３１、軸受具３２、枢軸３３をそれぞれカバーする軸受カバー２０、軸受カバー１０が一体に形成されている。そして、さらに軸受部３には、図１に示すように、この軸受部３を構成する枢軸３３と同軸にカメラ４を収納した金属製のカメラ収納用ケース４０が回動自在に取り付けられている。
【００２０】
次に、軸受部３の構造及びカメラ収納ケース４０の取付構造について、図２乃至図５を参照しながらより詳細に説明する。
図２に示す軸受部３は、前述したように、第１、第２の筐体１、２（図示せず）に直接又は間接的に結合された軸受具３１、軸受具３２と、これらの軸受具３１、軸受具３２を互いに回動可能に枢着する枢軸３３とで構成されている。
【００２１】
このうち、軸受具３１、軸受具３２は、図２に示すように、それぞれ、金属製の材料で形成されているとともにビス３０ａ、ビス３０ｂによって第１、第２の筐体１、２（図示せず）に収納された印刷配線板１３、印刷配線板２４に結合されており、このビス３０ａ、ビス３０ｂによって印刷配線板１３、印刷配線板２４のアース端子（図示せず）に電気的に接続され、アースされている。
【００２２】
軸受具３１、３２には、それぞれ、同軸上に配置された２つの軸受３１ａ、３１ｂ、軸受３２ａ、３２ｂを有している。このうち、一方の軸受３１ａ、軸受３２ａには、枢軸３３が挿入されているとともに、他方の軸受３１ｂ、軸受３２ｂには、カメラ収納用ケース４０の一端から突出する軸部４１が挿入されている。
【００２３】
一方、カメラ収納用ケース４０は、図３に示すように、軸方向に２分割できるように、正面ケース４０ａと背面ケース４０ｂとで構成されており、正面ケース４０ａには、カメラ４のレンズ部４ａを挿入・挿通させるレンズ用孔４３が形成されている。そして、正面ケース４０ａと背面ケース４０ｂとで形成される内部空間に、カメラ４が収納されている。
【００２４】
そのカメラ４からは、ケーブル４ｂが正面ケース４０ａと背面ケース４０ｂに形成されたそれぞれの軸部４１ａと軸部４１ｂの間に挟まれて、その軸部４１ａ、軸部４１ｂの先端部まで引出されている。換言すれば、外周からケーブル１４ｂを引出した状態で双方のケース１５ａ、１５ｂが合体化されており、これにより１つのカメラ収納ケース４０を構成している。
【００２５】
次に、このように構成された軸受部３及びカメラ収納用ケース４０の組付け方法について、図２及び図４を参照しながら詳細に説明する。
▲１▼初めに、軸部４１が、軸受具３２の軸受３２ａ、３２ｂにそれぞれ挿入され、回動自在に枢着される。この場合、先ず、軸部４１にゴムなどのパッキン３４が嵌合され、続いてこのパッキン３４側に鍔部３５ａ及び切溝３５ｂを有する円筒状のホルダー３５が弾性的に強固に嵌合される。したがって、このような構成によって、正面ケース４０ａと背面ケース４０ｂが軸部４１において強固に合体化される。
▲２▼そして、この状態で、ホルダー３５及び軸部４１が軸受３１ｂに挿入（若しくは嵌入）され、更に、この軸受３１ｂより突出した軸部４１の先端側が軸受３１ａを貫通するようにその軸受３１ａに挿入される。
▲３▼次に、その軸受３１ａを貫通し、この軸受３１ａより突出した軸部４１の先端側には、ワッシャ３６が嵌合され、更に、このワッシャ３６より突出した軸部４１の嵌合溝４２にＥリング３７が嵌合・係止される。
【００２６】
すなわち、本実施の形態では、Ｅリング３７を嵌合・係止した状態で、パッキン３４がカメラ収納ケース４０の側面とホルダー３５の間で若干圧縮されており、このパッキン３４には、図４に示すように、Ａ方向、Ｂ方向の弾性復元力が作用するように構成している。従って、カメラ収納ケース４０は、ホルダー３５と軸受３１ｂとの適度な摩擦によってスムースに回動可能なように動作する。
【００２７】
ところで、本実施の形態では、前述したように、特にカメラ収納ケース４０を軸部４１と共に金属材料で形成し、シールド効果をもたせている。そして、ワッシャ３６、Ｅリング３７も、金属製のものを用いており、カメラ収納ケース４０は、軸部４１、Ｅリング３７、ワッシャ３６、軸受具３１、軸受具３２を介して、第１、第２の筐体１、２に収納された印刷配線板１３及び印刷配線板２４のアース端子にそれぞれ電気的に接続されている。
【００２８】
従って、本実施の形態によれば、カメラ収納ケース４０などによるシールド効果により、カメラ４を駆動するための信号の如何に関わらず、この信号に起因して発生するカメラ４側からの不要輻射を極力少なくすることができる。
すなわち、一般に、カメラ４としてＣＣＤカメラを用いた場合、そのＣＣＤカメラの駆動のために、数１００ＫＨＺから数１０ＭＨＺのクロック信号を必要とし、このクロック信号によって、カメラ駆動時に比較的大きな不要輻射が生じるが、本実施の形態によれば、カメラ収納ケース４０などのシールド性により、この不要輻射を極力少なくすることができる。
【００２９】
次に、この実施の形態に係るカメラ付端末装置と従来のカメラ付端末装置とにおける不要輻射の発生状況を調べる比較実験を行ってみたところ、以下のような知見が得られた。
即ち、図８、図９は、本実施の形態及び従来のカメラ付端末装置を駆動した時の不要輻射の発生状況を示したものであり、図８が本実施の形態におけるカメラ付端末装置の不要輻射の状態を示し、図９が従来のカメラ付端末装置における不要輻射の状態を示している。
【００３０】
図８に示す本実施の形態によれば、不要輻射が、最大４．２５ｄｂであり、従来のカメラ付端末装置では、図９に示すように、カメラ駆動時に、最大１６．０５ｄｂの不要輻射が認められた。この図８及び図９から容易に分かるように、本実施の形態によれば、カメラ収納ケース４０などによるシールド効果により、カメラ駆動時に発生する不要輻射が、従来に比較して大幅に改善されていることが分かる。
【００３１】
［第２の実施の形態］
図５は、本発明の第２の実施の形態に係るカメラ付端末装置の要部分解斜視図、図６は、カメラ付端末装置の要部を組み立てた状態の断側面図である。なお、この実施形態では、先の第１の実施の形態と同一部分には同一符号を付して重複説明を避ける。
本実施の形態では、図示外の筐体が開閉式（もちろん開閉式ではない棒状式などでもよい）のもので構成されており、この筐体の一部に（両筐体の連結部以外のいずれかの部位）回動可能なカメラ４を備えている。
即ち、本実施の形態では、軸受部の要部を構成する軸受具として、第１の実施形態とは異なり、シールド性を有する金属製の材料で形成した軸受具３８を用いており、この軸受具３８には、複数の軸受を形成しておらず、１つの軸受３８ａのみを形成している。そして、この軸受具３８の軸受３８ａに、パッキン３４及びホルダー３５を嵌合した状態でカメラ収納ケース４０の軸部４１を挿入し、ワッシャ３６をかませてＥリング３７を嵌合・係止するようにしている。
【００３２】
したがって、この実施の形態の場合も、金属製のカメラ収納用ケース４０が、それぞれ金属製の各部材、即ち、軸部４１、Ｅリング３７、ワッシャ３６、軸受３８ａを介して筐体（図示せず）に収納された印刷配線板５０のアース端子に電気的に接続されており、確実にアースされることになるので、カメラ駆動時の不要輻射を、第１の実施の形態と同様、極力少なくすることができる。
【００３３】
そして、この実施の形態では、軸受具３８が、筐体の軸受を兼用せず回動機能を備えたカメラ収納ケース４０の軸受専用であるため、カメラ収納ケースの取付位置に従い、この実施の形態の折畳式のものであれ、棒状式のものであれ、如何なる形態の端末装置でも、筐体内の任意に設置位置を設定して、回動式のカメラを取り付けることができる。
【００３４】
以上、第１の実施の形態及び第２の実施の形態のいずれの実施の形態でも、カメラ４が金属製のカメラ収納ケース４０でシールドされており、カメラ駆動時の不要輻射を極力少なくすることができる。
なお、第１、第２の実施の形態では、前述したように、軸受具３１、３２、３８、カメラ収納ケース４０などをそれぞれ金属で形成しているが、合成樹脂で形成し、外表面に金属メッキ、その他の導電層を形成するようにしてもよい。
【００３５】
また、第１、第２の実施の形態では、ワッシャ３６やＥリング３７として、単に平板をドーナツ状、或いは、Ｅリング状に裁断しただけのものを用いているが、図７に示すような構成にしてもよい。
即ち、これらワッシャ３６やＥリング３７の一方又は両方のそれぞれの側面、例えばワッシャ３６の場合は、軸受３２ｂに対向する側面又はＥリング３７に対向する側面に、また例えばＥリング３７の場合は、ワッシャ３６に対向する側面に、適当に、複数の半球状又はその他の形状の凸部３６ａ、凸部３７ａを形成し、この凸部３６ａ、３７ａによって、これらのワッシャ３６及びＥリング３７の一方または両方に、それぞれ適当な弾性反発力が生じるように構成してもよい。
【００３６】
このように構成すれば、カメラ収納ケース４０を更にスムースに回転可能に枢着でき、カメラ収納ケース４０の軸受具３１、３２への電気的な接続もより確実なものにすることができる。
【００３７】
また、第１、第２の実施の形態では、共に、折畳式の携帯電話機に適用しているが、棒状の携帯電話機、その他、あらゆる、カメラ付端末装置に適用することも可能である。
【００３８】
【発明の効果】
以上説明したように、発明によれば、カメラ収納ケースをシールド効果のあるものとしたため、カメラ収納ケースに収納されたカメラをカメラ収納ケースによってシールドし、カメラを駆動するための各種信号によりもたらされる虞のあるカメラ駆動時の不要輻射を極力少なくすることができるようになり、延いては高信頼度、高品質のカメラ付端末装置が実現可能となる。
【図面の簡単な説明】
【図１】本発明の第１の実施の形態に係るカメラ付端末装置の平面図である。
【図２】同カメラ付端末装置の要部分解斜視図である。
【図３】同カメラ付携帯端末装置に使用するカメラ部分の分解斜視図である。
【図４】同カメラ付携帯端末装置の要部を組み立てたときの状態を示す断面図である。
【図５】本発明の第２の実施の形態に係るカメラ付端末装置の要部分解斜視図である。
【図６】同カメラ付端末装置の要部を組み立てたときの状態を示す断面図である。
【図７】本発明の第１、第２の実施の形態で使用するＥリング、ワッシャの一例を示す斜視図である。
【図８】本発明の第１の実施の形態におけるカメラ付端末装置を用いて測定したカメラ駆動時の不要輻射出力状況を示す図である。
【図９】従来のカメラ付端末装置を用いて測定したカメラ駆動時の不要輻射出力状況を示す図である。
【符号の説明】
１　　　第１の筐体
１０　　軸受カバー
１１　　表示器
１２　　受話器
１３　　印刷配線板
２　　　第２の筐体
２０　　軸受カバー
２１　　テンキー
２３　　送話器
２４　　印刷配線板
２６ａ　凸部
３　　　軸受部
３０ａ、３０ｂ　　ビス
３１、３２、３８　　軸受具
３１ａ、３１ｂ、３２ａ、３２ｂ、３８ａ　　軸受
３３　　枢軸
３４　　パッキン
３５　　ホルダー
３６　　ワッシャ
３７　　Ｅリング
３７ａ　凸部
４　　　カメラ
４ａ　　レンズ
４ｂ　　ケーブル
４０　　カメラ収納ケース
４０ａ　正面ケース
４０ｂ　背面ケース
４０ｃ　レンズ挿入用孔
４１　　軸部
４２　　嵌合溝
５０　　印刷配線板
【図１】
2004015095.tif 000003
【図２】
2004015095.tif 000004
【図３】
2004015095.tif 000005
【図４】
2004015095.tif 000006
【図５】
2004015095.tif 000007
【図６】
2004015095.tif 000008
【図７】
2004015095.tif 000009
【図８】
2004015095.tif 000010
【図９】
2004015095.tif 000011